(57)【特許請求の範囲】
【請求項１】
柱と土台とを緊結する引寄せ金物で、当該引寄せ金物が、柱に縦方向に取付けられる帯板状の取着板と、当該取着板の両側部にそれぞれ外方向に対向して立設された補強側板と、当該各補強側板の内側で、前記取着板のほぼ中央位置に、土台から突出するアンカーボルト、座金付ボルト等を挿通してナットで締結する受け台が固着され、当該受け台を介して、前記取着板の上部及び下部それぞれに、ビス等の止着孔が複数形成されて成り、前記取着板の上端に帯板状の押え板が一体に連設されるとともに、前記取着板、押え板及び補強側板が、一枚の板材から展開した状態で切り出され、前記補強側板が外方向に立ち上がるよう曲げ加工して形成されるとともに、前記受け台が、前記各補強側板のほぼ中央位置に切欠き形成された受け台担持部に水平に載置されるよう前記取着板及び補強側板に固着されて成ることを特徴とする引寄せ金物。
【請求項２】
前記補強側板が、当該補強側板の中央より幾分下方位置から前記取着板の上端及び下端にかけて徐々に幅が狭くなるテーパー状に形成されるとともに、前記取着板と同一板材から展開した状態で切り出され、外方向に立ち上がるよう曲げ加工して形成されて成り、前記受け台が、前記各補強側板の中央より幾分下方位置に切欠き形成された受け台担持部に水平に載置されるよう前記取着板及び補強側板に固着されて成ることを特徴とする請求項１記載の引寄せ金物。
【請求項３】
前記引寄せ金物の柱取着面に滑り止め部が形成されて成ることを特徴とする請求項１又は請求項２に記載の引寄せ金物。
【請求項４】
前記受け台担持部が形成された各補強側板に、上下方向の外力に対抗する補強部が形成されて成ることを特徴とする請求項１〜３いずれかに記載の引寄せ金物。
【請求項５】
前記受け台に穿設されたボルト挿通孔が、ボルト調整孔となっていることを特徴とする請求項１〜４いずれかに記載の引寄せ金物。
【請求項６】
柱に取付けられた前記引寄せ金物と、土台から突出するアンカーボルト等が、少くとも一つの貫通する雌ねじを有する複数の雌ねじが形成された連結調整ナットを介して、両端に雄ねじが形成された連結ボルトにより、当該連結ボルトの一端が前記引寄せ金物の受け台にてナットで締結されるとともに、当該連結ボルトの他端が前記連結調整ナットの上面に穿設された雌ねじに締結され、前記連結調整ナットの下面に穿設された適宜の雌ねじにアンカーボルト等が締結されてなることを特徴とする請求項１〜４いずれかに記載の引寄せ金物。
【発明の詳細な説明】
【０００１】
【発明の属する技術分野】
本発明は、木造建築物において、布基礎上に締結された土台と当該土台に立設された柱とを引き寄せ、抜け止めを行うために使用される引寄せ金物で、特に、引寄せ金物の強度及び柱への当該取付強度を増大させるとともに、土台から突出するアンカーボルト等の位置ズレによる引寄せ金物との連結不具合を解消可能にした引寄せ金物に関する。
【０００２】
【従来の技術】
従来、土台と柱とを引き寄せ抜け止めを行なうために使用される引寄せ金物として、一般に、図９に示すような引寄せ金物１０１が使用されている。すなわち、引寄せ金物１０１は柱面に取着される板状の取着板１０３と、取着板１０３の下端より幾分上方で垂直方向に立設されたボルト孔を有する板状の受け台１０５と、当該取着板１０３と受け台１０５とにより形成されるＬ字型隅部の両側に補強用側板が形成されて成るブラケット部１０７とから構成されている。
【０００３】
引寄せ金物１０１は、布基礎１０９上にアンカーボルト等で締結された土台１１１と柱１１３との連結部に適合するように、取着板１０３が柱面にボルトもしくは釘等で取着され、受け台１０５は土台面上方に位置して土台１１１から突出するアンカーボルト１１３にナット１１５で締結され、土台１１１と柱１１３とを引き寄せ、抜け止めとしての機能を果たしている。
【０００４】
【発明が解決しようとする課題】
しかしながら、従来の引寄せ金物１０１においては、取着板１０３の板状部において、ボルトもしくは釘等により柱面に止着され、取着板１０３の下端に形成されたブラケット部１０７内に設けられた受け台１０５において、ナットにより土台１１１から突出するアンカーボルト等に締着されていることにより、地震や台風により柱１１３を浮き上がらせるような外力が作用した場合、図１０に示すように当該外力がブラケット部１０７に作用して引寄せ金物１０１を変形させ引寄せ金物１０１のＬ字形角部Ａが柱面に食い込み柱１１３を損傷させてしまうことになる。また、柱１１３が過大な引抜力を受けたときには、ボルトもしくは釘等が剪断されてしまったり、ボルト等により柱１１３が引き裂かれてしまったり、ブラケット部１０７が破壊されてしまったりすることもある。図１０は、柱１１３の両側部に取り付けられた引寄せ金物１０１が、約１０ｔの引抜力で上方へ引張られたときの変形具合を示すものである。
【０００５】
また、布基礎１０９内に埋設されたアンカーボルト９の位置が所定位置からズレてしまっている場合、土台から突出するアンカーボルト９と柱１１３に取着された引寄せ金物１０１に設けられた受け台１０５のボルト孔とが合致せず、取付不具合が生じてしまい、以降の作業に支障が生じてしまう。
【０００６】
そこで、本発明は、上記従来技術が有する問題点に鑑みて創案されたもので、その目的とするところは、引寄せ金物の強度及び柱への当該取付強度を向上させるとともに、アンカーボルト等の取付位置のズレによる不具合を解消することにある。
【０００７】
【課題を解決するための手段】
本発明は、上記課題を解決するための、以下の技術的手段を講じた。
【０００８】
引寄せ金物の強度及び当該取付強度を向上させるため、柱と土台とを緊結する引寄せ金物で、当該引寄せ金物が、柱に縦方向に取付けられる帯板状の取着板と、当該取着板の両側部にそれぞれ外方向に対向して立設された補強側板と、当該各補強側板の内側で、前記取着板のほぼ中央位置に、土台から突出するアンカーボルト、座金付ボルト等を挿通してナットで締結する受け台が固着され、当該受け台を介して、前記取着板の上部及び下部それぞれに、ビス等の止着孔が複数形成されて成り、前記取着板の上端に帯板状の押え板が一体に連設されるとともに、前記取着板、押え板及び補強側板が、一枚の板材から展開した状態で切り出され、前記補強側板が外方向に立ち上がるよう曲げ加工して形成されるとともに、前記受け台が、前記各補強側板のほぼ中央位置に切欠き形成された受け台担持部に水平に載置されるよう前記取着板及び補強側板に固着されて成ることを特徴とする引寄せ金物を構成した。
【００１０】
また、同様に引寄せ金物の強度及び当該取付強度を向上させるため、前記補強側板が、当該補強側板の中央より幾分下方位置から前記取着板の上端及び下端にかけて徐々に幅が狭くなるテーパー状に形成されるとともに、前記取着板と同一板材から展開した状態で切り出され、外方向に立ち上がるよう曲げ加工して形成されて成り、前記受け台が、前記各補強側板の中央より幾分下方位置に切欠き形成された受け台担持部に水平に載置されるよう前記取着板及び補強側板に固着されて成ることを特徴とする引寄せ金物を構成した。
【００１１】
また、引寄せ金物の取付強度を向上させるため、前記引寄せ金物の柱取着面に滑り止め部が形成されて成ることを特徴とする引寄せ金物を構成した。
【００１２】
また、引寄せ金物の強度を向上させるため、前記受け台担持部が形成された各補強側板に、上下方向の外力に対抗する補強部が形成されて成ることを特徴とする引寄せ金物を構成した。
【００１３】
また、アンカーボルト等の取付位置のズレによる不具合を解消するため、前記受け台に穿設されたボルト挿通孔が、ボルト調整孔となっていることを特徴とする引寄せ金物を構成した。
【００１４】
さらに、同様にアンカーボルト等の取付位置のズレによる不具合を解消するため、柱に取付けられた前記引寄せ金物と、土台から突出するアンカーボルト等が、少くとも一つの貫通する雌ねじを有する複数の雌ねじが形成された連結調整ナットを介して、両端に雄ねじが形成された連結ボルトにより、当該連結ボルトの一端が前記引寄せ金物の受け台にてナットで締結されるとともに、当該連結ボルトの他端が前記連結調整ナットの上面に穿設された雌ねじに締結され、前記連結調整ナットの下面に穿設された適宜の雌ねじにアンカーボルト等が締結されてなることを特徴とする引寄せ金物を構成した。
【００１５】
【発明の実施の形態】
以下、本発明に係る一実施の形態を図面に基づいて詳細に説明する。
【００１６】
図１は、本発明に係る引寄せ金物をアンカーボルトの位置ズレを解消して取着した状態を示す概略斜視図である。図２は、本発明に係る引寄せ金物を座金付ボルトの位置ズレが存しない状態で取着した状態を示す概略斜視図である。図３（ａ）は、本発明に係る引寄せ金物を示す正面図である。図３（ｂ）は、同背面図である。図３（ｃ）は、同左側面図である。図４（ａ）は、受け台を示す平面図である。図４（ｂ）は、同正面図である。図５は、受け台担持部が形成された補強側板に、補強部が形成された状態を示す左側面図である。図６は、引寄せ金物の柱取着面に滑り止め部が形成された状態を示す背面図である。図７（ａ）は、ボルト調整孔が形成された受け台を示す平面図である。図７（ｂ）は、同正面図である。図８（ａ）は、連結調整ナットを示す斜視図である。図８（ｂ）は、同底面図である。図９は、従来の引寄せ金物を示す概略斜視図である。図１０は、従来の引寄せ金物が外力により変形した状態を示す概略正面図である。
【００１７】
本発明に係る引寄せ金物１は、図１及び図２に示すように、柱１１３に縦方向に取付けられる帯板状の取着板３と、当該取着板３の両側部にそれぞれ外方向に対向して立設された補強側板５と、当該各補強側板５の内側で、前記取着板３のほぼ中央位置に、土台から突出する座金付ボルト７またはアンカーボルト９等を挿通してナット１１で締結する受け台１３が固着され、当該受け台１３を介して、前記取着板３の上部及び下部それぞれにビス等の止着孔１５が複数箇所形成されて成るものである。
【００１８】
取着板３の上端には、図３に示すように、押え板１７が一体に連設されるとともに、取着板３の両側部には補強側板５ａ，５ｂが一体に連設されている。すなわち、厚さ４ｍｍの鋼製の板材から、取着板３，押え板１７，補強側板５ａ，５ｂを展開した状態で切り出し、補強側板５ａ，５ｂが外方向に対向するようにＬ字型に曲げ加工されたものである。取着板３には、受け台１３を介して、上部及び下部それぞれにビス等の止着孔１５が複数形成され、ビス等で柱１１３に止着されるとともに、押え板１７にも止着孔１５が形成され、ビス等で柱１１３に止着される。本発明に係る引寄せ金物１の、押え板１７が連設された取着板３は、長さ４００ｍｍの帯板材が使用されているが、取付状態に応じて適宜の長さのものとすることができる。
【００１９】
取着板３、押え板１７及び補強側板５ａ，５ｂが、一枚の鋼製板材から展開した状態で切り出され、曲げ加工して形成されているのは、作業性の向上を図るためであり、必要に応じて補強側板５ａ，５ｂを取着板３の両側部に溶接等によりＬ字形に固着させたものであってもよい。
【００２０】
また、取着板３の上部及び下部に、受け台１３を介して複数の止着孔１５が形成されているのは、受け台１３には、後述するように、座金付ボルト７、アンカーボルト９等がナット１１で締結され、地震や台風等に起因する水平荷重により柱１１３の引抜力が生じた場合、受け台１３の締結部が力点となって、当該外力が取着板３の特定箇所に集中するのを防止し、これを取着板３の全面に均等に分散させることにより、引寄せ金物１の変形や破壊及び柱１１３の損傷を防ぐためである。
【００２１】
さらに、取着板３の上端にこれと一体に連設された押え板１７は、上述した外力が柱１１３に作用した場合、補強側板５ａ，５ｂにより補強された取着板３と柱１１３とが直接対抗するのを避け、緩衝部としての機能を果たすよう補強側板５ａ，５ｂが形成されない板状材となっている。これにより、柱１１３に作用する水平方向の外力は、押え板１７で一度緩衝されて取着板３で対抗するため、柱１１３の損傷を防止することが可能となる。
【００２２】
取着板３の両側部には、図３（ａ）（ｂ）に示すように、補強側板５ａ，５ｂがＬ字形に曲げ加工され取着板３と一体に連設されている。補強側板５ａ，５ｂは、図３（ｃ）に示すように、当該補強側板５ａ，５ｂのほぼ中央位置から取着板３の上端及び下端にかけて徐々に幅が狭くなるテーパー状となっており、当該補強側板５ａ，５ｂのほぼ中央位置に、受け台１３を水平に載置するための受け台担持部１９が切欠き形成されたものである。
【００２３】
補強側板５ａ，５ｂは、取着板３の強度を補強するためのものであり、曲げ加工により取着板３と一体に形成されているのは作業性の向上を図るためである。また、補強側板５ａ，５ｂのほぼ中央位置から取着板３の上端及び下端にかけて徐々に幅が狭くなるようテーパー状に形成されているのは、受け台担持部１９の強度を維持するとともに、受け台１３への座金付ボルト７、アンカーボルト９等の挿入作業や、ナット１１の締結作業に支障がないようにするものである。
【００２４】
受け台担持部１９は、補強側板５ａ，５ｂの上端からほぼ中央位置に長さ方向に形成されたテーパー状の切欠面と、補強側板５ａ，５ｂのほぼ中央位置に幅方向に形成された水平な切欠面とから成る切欠部において、水平方向に切り欠きされた切断面をいい、当該各切断面に受け台１３の所定箇所が載置され、補強側板５ａ，５ｂの切断面により受け台１３が担持されるようになっている。
【００２５】
受け台１３は、地震や台風等により柱１１３にかかる水平荷重の外力に対抗するとともに、当該外力にともない生じる柱１１３の引抜力にも対抗し得る必要があり、座金付ボルト７，アンカーボルト９等にナット１１で締結された受け台１３が、柱１１３を上方に引き抜こうとする外力に対抗して、受け台担持部１９に引掛り、柱１１３の抜止めの一助となるとともに、受け台１３の取着部の強度も向上されるのである。これにより、従来のように受け台１３が溶接のみで固着されているものに比して、当該外力に対する対抗力が増強されるのである。
【００２６】
受け台１３は、図４に示すように、所定位置にボルト挿通孔２１が穿孔され、両側部に、補強側板５ａ，５ｂに形成された受け台担持部１９に載置される載置部２３ａ，２３ｂが形成されるとともに、当該載置部２３ａ，２３ｂの後方に、取着板３と補強側板５ａ，５ｂとにより囲まれたコの字形内形に嵌合する嵌合部２５が形成された座金状の板状物である。本発明に係る受け台１３には、厚さ１０ｍｍの鋼製の板材が使用されている。アンカーボルト９等と引寄せ金物１とは受け台１３を介して連結されるため、その連結強度を高めるためである。受け台１３は、取着板３及び補強側板５ａ，５ｂとの接合部において溶接等により固着されている。
【００２７】
また、引寄せ金物１は、図５及び図６に示すように、取着板３ａの両側部に立設された補強側板５ｃ，５ｄが、当該補強側板５ｃ，５ｄの中央より幾分下方位置から取着板３ａの上端及び下端にかけて徐々に幅が狭くなるテーパー状に形成されたものであってもよい。取着板３ａと補強側板５ｃ，５ｄとが、一枚の板材から展開した状態で切り出され、当該補強側板５ｃ，５ｄが外方向に立ち上がるよう曲げ加工して形成されていることは、上記と同様である。また、受け台１３ａが、各補強側板５ｃ，５ｄに切欠き形成された受け台担持部１９ａに水平に載置されるように取着板３及び補強側板５ｃ，５ｄに溶接等により固着されたものであることも、上記と同様である。本実施の形態における受け台担持部１９ａは、各補強側板５ｃ，５ｄの中央より幾分下方位置、すなわち、補強側板５ｃ，５ｄもしくは取着板３ａの上端部から下端部において、これをほぼ２：１の割合で按分する位置に、所要部が水平方向に切り欠き形成された切断面であり、当該各切断面に受け台１３ａの所定箇所が載置され、当該各切断面により受け台１３ａが担持されるようになっている。
【００２８】
補強側板５ｃ，５ｄが、取着板３の上端及び下端から受け台担持部１９ａにかけて、徐々に幅が広くなるテーパー状となっているのは、受け台担持部１９ａの強度を向上させるとともに、受け台１３ａへのアンカーボルト等の挿入作業やナットの締結作業に支障がないようにするとともに、受け台１３ａより上方部の強度を相対的に弱くしていくことにより、柱に作用する水平方向の外力に対する緩衝機能をもたせるためである。また、受け台担持部１９ａが、補強側板５ｃ，５ｄの上端部から下端部において、これをほぼ２：１の割合で按分する位置に形成されているのは、アンカーボルト等が締結された受け台１３ａに作用する外力に対する耐力性を維持するとともに、当該外力が特定箇所に集中するのを防止し、引寄せ金物１ａの全体に分散させるためである。
【００２９】
また、引寄せ金物１ａの柱取着面には、図６に示すように、滑り止め部２０が形成されたものであってもよい。本実施の形態においては、引寄せ金物１ａの背面にメッシュ加工が施されたものとなっている。滑り止め部２０は、引寄せ金物１ａの柱取着面と柱表面との摩擦抵抗を増加させることにより、引寄せ金物１ａにかかる上記外力を滑り止め部２０に分散させ、ビス等の止着部が破壊されるのを防止するためのものである。滑り止め部２０は、メッシュ加工に限定されるものではなく、上記趣旨を逸脱しない範囲で適宜変更することができる。例えば、表面に微細な鉤爪状の突起が形成されたものとすることもできる。
【００３０】
また、引寄せ金物１ａの補強側板５ａ，５ｂ，５ｃ，５ｄには、図５に示すように、上下方向の外力に対抗する補強部２２が形成されたものであってもよい。本実施の形態における補強部２２は、受け台担持部１９ａが形成され受け台１３ａを載置する補強側板５ｃ，５ｄに、プレス加工により左右方向に連続する凹凸部が形成されたものとなっている。左右方向に連続する凹凸部が形成されたことにより、受け台１３を担持する補強側板５ｃ，５ｄの上下方向の外力に対する強度が向上するため、柱１１３に作用する上方向の引抜力に対して、下方向に引き寄せられている受け台１３ａの耐力性を増加させることができる。本実施の形態においては、プレス加工により左右方向に連続する凹凸部が形成されたものとなっているが、上記趣旨を逸脱しない範囲で適宜変更することができる。例えば、補強側板５ｃ，５ｄに、帯板状の補強部材を上下方向に固着させたものとすることもできる。
【００３１】
また、受け台１３ａには、図７に示すように、ボルト挿通孔２１に替えて、アンカーボルト等の取付位置のズレを調整するためのボルト調整孔２８が形成されたものであってもよい。本実施の形態におけるボルト調整孔２８は、縦長の楕円形状に形成されたものであり、アンカーボルト等の前後方向の取付位置のズレを調整することができる。また、適宜、ボルト調整孔２８の形状を変えることにより、前後方向の位置ズレばかりでなく、左右方向の位置ズレに対応し得るようにすることもできる。例えば、上記縦長の楕円形状に形成されたボルト調整孔２８に、同じく横長の楕円形状に形成されたボルト調整孔２８を交差させたものとすることもできる。受け台１３ａとアンカーボルト等は、座金（図示せず）を介してナット１１で締結され、土台１１１と柱１１３とが緊結される。
【００３２】
また、布基礎１０９に埋設されたアンカーボルト９の位置が所定位置からズレてしまっているような場合や引寄せ金物１の取付位置を調整する必要が生じた場合においては、図１及び図２に示す連結ボルト２７及び図８に示す連結調整ナット２９を使用することにより、位置ズレを解消することができる。
【００３３】
連結ボルト２７は、所要の長さを有する棒材の両端に雄ねじが形成されたもので、一端に形成された雄ねじは、受け台１３に穿孔されたボルト挿通孔２１に挿通しナット１１で受け台１３に締着され、他端に形成された雄ねじは、後述する連結調整ナット２９に穿設された雌ねじに螺着され、土台１１１から突出するアンカーボルト９等の長さに応じて引寄せ金物１の取付位置を調整する必要がある場合やアンカーボルト９等の位置ズレを解消する必要がある場合に使用される。
【００３４】
連結調整ナット２９は、連結ボルト２７の両端に形成された雄ねじに螺合する雌ねじを形成し得る肉厚を有する角形鋼材を所要の長さで切断し、これに雌ねじ３１及び雌ねじ３３が形成されたものである。雌ねじ３１はナット本体を貫通して形成されており、雌ねじ３３はナット本体の下面（土台１１１側）より中途まで雌ねじが形成されたものとなっている。雌ねじ３１は、図２に示すように、座金付ボルト７の取付位置にズレがない場合に使用され、雌ねじ３１の上端に連結ボルト２７の一端が螺着され、雌ねじ３１の下端にはアンカーボルト９が螺着され土台１１１と柱１１３とが連結される。雌ねじ３３は、図１に示すように、アンカーボルト９の取付位置にズレが生じた場合に使用され、雌ねじ３３にはアンカーボルト９が螺着され、雌ねじ３１の上端には連結ボルト２７の一端が螺着され土台１１１と柱１１３とが連結される。
【００３５】
本実施の形態においては、雌ねじ３１がナット本体を貫通して形成され、雌ねじ３３がナット本体の中途まで形成されたものとなっているが、雌ねじ３３はナット本体を貫通するものであってもよい。また、ナット本体は直方体形状となっているが、必要に応じて六角形状等とすることもできる。また、本実施の形態においては、雌ねじが２カ所形成されたものとなっているが、必要に応じて３カ所形成したものであってもよい。
【００３６】
連結調整ナット２９は、雌ねじ３３に螺着されたアンカーボルト９を軸心として、連結調整ナット２９を左右に回転して位置決めすることにより、雌ねじ３１と雌ねじ３３との距離Ｂに相当する位置ズレが解消され、雌ねじ３１の上端に螺着された連結ボルト２７の一端が受け台１３に挿通されナット１１で締結され、土台１１１と柱１１３とが抜け止めされる。
【００３７】
本発明に係る引寄せ金物１を図１０と同様に、柱１１３の両側部にビスで取り付け約１０ｔの引抜力で柱１１３を上方へ引張った場合においても、約２ｍｍの位置ズレが生じたのみで、引寄せ金物１の変形や破壊及び柱１１３の割裂等は見られなかった。
【００３８】
本発明に係る引寄せ金物は、取着板と、当該取着板の両側部にそれぞれ外方向に対向して立設された補強側板と、当該各補強側板の内側で、前記取着板のほぼ中央位置に、土台から突出するアンカーボルト等を挿通してナットで締結する受け台が固着され、当該受け台を介して、前記取着板の上部及び下部それぞれに、ビス等の止着孔が複数形成されているので、地震や台風により柱に水平荷重がかかりこれに伴う柱の引抜力が生じた場合においても、これら外力は受け台を力点として引寄せ金物全体に均等に分散されることにより、引寄せ金物の変形や破壊及びこれに伴なう柱の損傷が防止される。
【００３９】
また、取着板の上端に帯板状の押え板が一体に連接されるとともに、前記取着板、押え板及び補強側板が、一枚の板材から展開した状態で切り出され、当該補強側板が外方向に立ち上がるよう曲げ加工して形成され、前記受け台が、前記各補強側板のほぼ中央位置に形成された受け台担持部に水平に載置されるよう前記取着板及び補強側板に固着されて成るものなので、作業性を向上させるとともに、柱に作用する水平荷重に対して補強側板を有しない押え板が緩衝材として機能することにより柱の損傷を防止するとともに、柱の引抜力に対して受け台担持部がアンカーボルト等に締結された受け台に引掛ることにより、溶接のみで固着された場合に比して、対抗力が増強され柱と土台とがより強固に緊結される。
【００４０】
また、補強側板が、当該補強側板の中央より幾分下方位置から前記取着板の上端及び下端にかけて徐々に幅が狭くなるテーパー状に形成されるとともに、取着板と同一板材から展開した状態で切り出され外方向に立ち上がるよう曲げ加工して形成されて成り、前記受け台が、前記各補強側板の中央より幾分下方位置に切欠き形成された受け台担持部に水平に載置されるよう前記取着板及び補強側板に固着されて成るものなので、柱にかかる外力は引寄せ金物全体に分散され、引寄せ金物の変形や柱の損傷等が防止されるとともに、当該受け台から上端部にかけて当該強度が相対的に弱くなるよう形成されていることにより、引寄せ金物及び柱にかかる外力に対して緩衝部として機能するとともに、柱の引抜力に対して受け台担持部がアンカーボルト等に締結された受け台に引掛かるため、溶接のみで固着された場合に比して、より強固に緊結される。
【００４１】
また、前記引寄せ金物の柱取着面に滑り止め部が形成されて成るものなので、引寄せ金物の柱取着面と柱表面における摩擦抵抗が増大し、引寄せ金物にかかる外力が滑り止め部全体に分散され、ビス等の止着部の破壊等が防止される。
【００４２】
また、前記受け台担持部が形成された各補強側板に、上下方向の外力に対抗する補強部が形成されて成るものなので、アンカーボルト等に締結され下方向に引き寄せられている受け台に対して、当該受け台を担持する受け台担持部が形成された各補強側板の耐力性が向上する。
【００４３】
また、前記受け台に穿設されたボルト挿通孔がボルト調整孔となっているので、アンカーボルト等の取付位置のズレによる締結不具合が当該調整孔により解消される。
【００４４】
さらに、柱に取付けられた引寄せ金物と土台から突出するアンカーボルト等が、少くとも一つの貫通する雌ねじを有する複数の雌ねじが形成された連結調整ナットを介して、両端に雄ねじが形成された連結ボルトにより、当該連結ボルトの一端が引寄せ金物の受け台にてナットで締結されるとともに、当該連結ボルトの他端が連結調整ナットの上面に穿設された雌ねじに締結され、連結調整ナットの下面に穿設された適宜の雌ねじにアンカーボルト等が締結されて成るものなので、アンカーボルト等が所定位置からズレてしまった場合や引寄せ金物の取付位置を調整する必要がある場合、連結ボルト及びアンカーボルト等をズラして連結調整ナットの上面及び下面の雌ねじに螺着することにより、当該連結調整ナット上面で連結ボルトが螺着された雌ねじと、連結調整ナット下面でアンカーボルト等が螺着された雌ねじとの距離の範囲内でアンカーボルト等の位置ズレが解消される。また、位置ズレが生じていない場合には、連結調整ナットの一つの貫通する雌ねじに連結ボルト及びアンカーボルト等を螺着すればよい。
【００４５】
【発明の効果】
本発明は上述したように構成されているので、地震や台風により柱に水平荷重がかかりこれに伴う引抜力が生じた場合においても、これら外力は引寄せ金物に均等に分散されることにより、引寄せ金物の変形や破壊及びこれに伴なう柱の損傷が防止される。また、本発明に係る引寄せ金物は、一枚の板材を曲げ加工して成るものであるから作業性を向上させるとともに、取着板の上端に連設された補強側板を有しない押え板が緩衝部として機能するので水平荷重に対する柱の損傷が防止され、また、柱の引抜力に対して受け台担持部がアンカーボルト等に締結された受け台に引掛ることにより、溶接のみで固着された場合に比して、柱と土台とがより強固に緊結される。
【００４７】
また、引寄せ金物の受け台が、各補強側板の中央より幾分下方位置に切欠き形成された受け台担持部に水平に載置されるよう取着板及び補強側板に固着されているので、柱にかかる外力は引寄せ金物全体に分散され、引寄せ金物の変形や柱の損傷等が防止されるとともに、補強側板が受け台から上端部にかけて当該強度が相対的に弱くなるように形成されているので、引寄せ金物及び柱にかかる外力に対して緩衝部として機能させることもできる。
【００４８】
また、引寄せ金物の柱取着面に滑り止め部が形成されているので、柱取着面と柱表面における摩擦抵抗が増大し、引寄せ金物にかかる外力が滑り止め部全体に分散されることにより、ビス等の止着部が破壊されるのを防止することができる。
【００４９】
また、前記受け台担持部が形成された各補強側板に上下方向の外力に対抗する補強部が形成されているので、アンカーボルト等に締結され下方向に引き寄せられている受け台に対して、当該受け台を担持する受け台担持部が形成された各補強側板の耐力性を向上させることができる。
【００５０】
また、前記受け台に穿設されたボルト挿通孔がボルト調整孔となっているので、アンカーボルト等の取付位置のズレによる締結不具合を当該調整孔で解消することができる。
【００５１】
さらに、連結ボルト及び連結調整ナットを使用することにより、アンカーボルト等の位置ズレを解消するとともに、引寄せ金物の取付位置を調整することができる。
【図面の簡単な説明】
【図１】本発明に係る引寄せ金物をアンカーボルトの位置ズレを解消して取着した状態を示す概略斜視図である。
【図２】本発明に係る引寄せ金物を座金付ボルトの位置ズレが存しない状態で取着した状態を示す概略斜視図である。
【図３】（ａ）は、本発明に係る引寄せ金物を示す正面図である。
（ｂ）は、本発明に係る引寄せ金物を示す背面図である。
（ｃ）は、本発明に係る引寄せ金物を示す左側面図である。
【図４】（ａ）は、受け台を示す平面図である。
（ｂ）は、受け台を示す正面図である。
【図５】受け台担持部が形成された補強側板に、補強部が形成された状態を示す左側面図である。
【図６】引寄せ金物の柱取着面に滑り止め部が形成された状態を示す背面図である。
【図７】（ａ）は、ボルト調整孔が形成された受け台を示す平面図である。
（ｂ）は、ボルト調整孔が形成された受け台を示す正面図である。
【図８】（ａ）は、連結調整ナットを示す斜視図である。
（ｂ）は、連結調整ナットを示す底面図である。
【図９】従来の引寄せ金物を示す概略斜視図である。
【図１０】従来の引寄せ金物が外力により変形した状態を示す概略正面図である。
【符号の説明】
１，１ａ  引寄せ金物
３，３ａ  取着板
５，５ａ，５ｂ，５ｃ，５ｄ  補強側板
７  座金付ボルト
９  アンカーボルト
１１  ナット
１３，１３ａ  受け台
１５  止着孔
１７  押え板
１９，１９ａ  受け台担持部
２０  滑り止め部
２１  ボルト挿通孔
２２  補強部
２３ａ，２３ｂ  載置部
２５  嵌合部
２７  連結ボルト
２８  ボルト調整孔
２９  連結調整ナット
３１，３３  雌ねじ
１０９  布基礎
１１１  土台
１１３  柱
【図１】
0003868799.tif 000002
【図２】
0003868799.tif 000003
【図３】
0003868799.tif 000004
【図４】
0003868799.tif 000005
【図５】
0003868799.tif 000006
【図６】
0003868799.tif 000007
【図７】
0003868799.tif 000008
【図８】
0003868799.tif 000009
【図９】
0003868799.tif 000010
【図１０】
0003868799.tif 000011